(57)【特許請求の範囲】
【請求項１】
固定柱と前記固定柱の頂部に設置される支持ブロックを含み、前記固定柱の底部の端面に下向きの第一溝が設置され、前記支持ブロックの底部の端面に左右対称かつ下向きのストップ溝が設置され、前記支持ブロックの頂部の端面にフックが設置され、前記ストップ溝の中には頂部掛けアームがヒンジにより回転できるように設置され、前記頂部掛けアームの下端が前記ストップ溝の下端開口の外部まで伸びており、かつ弓形部分と固定的に接続され、前記弓形部分の他の一端が底部掛けアームにヒンジで接続され、前記第一溝の内に上下に伸びる外ねじ山中空レバーが設置され、前記外ねじ山中空レバーの底部の駆動柄がヒンジで繋がれ、前記駆動柄の頂部の端面に上に向かうかつ前記外ねじ山中空レバーとヒンジで繋がれる第二溝が設置され、支持レバーに、上下に伸びる前記外ねじ山中空レバーが回転し係合し接続され、前記支持レバーの頂部の伸長末端が前記第一溝の頂部の内壁と固定に接続され、前記支持レバーの底部の伸長末端が前記第二溝の底部の内壁と固定に接続され、前記第二溝の内に左右を貫通する空き筐体が設置され、前記空き筐体の内に前記外ねじ山中空レバーと固定に接続する第一歯車が設置され、前記空き筐体の底部の内壁に前記外ねじ山中空レバーの右端にあるミクロ電動機が嵌入し設置され、前記ミクロ電動機の頂部の端面に前記第一歯車と噛合接続する第二歯車が設置され、前記外ねじ山中空レバーに牽引環がねじで係合し接続され、前記牽引環の左右端が前記底部掛けアームの底部の末端とヒンジで繋がれ、前記駆動柄の左端の端面に握り跡が設置され、前記握り跡の内に圧力双安定回路が設置され、前記圧力双安定回路が前記ミクロ電動機と電気で繋がれ、これによりハンガーを自動に伸展させ、便利性を高め、前記頂部掛けアームの前記固定柱に近接する一端に基台が設置され、前記基台に転向子がヒンジで繋がれ、前記固定柱の前記基台と相対する端面に固定敷が設置され、前記固定敷と前記転向子の間に圧縮ばねが固定に接続され、これにより頂部掛けアームの自動跳ね返りに便利を与え、ハンガー全体の伸展が簡単また便利になり、前記圧縮ばねは前記牽引環が上昇している時に前記頂部掛けアームをプッシュして揺れ動きながら回転させ、前記頂部掛けアームの頂部の端面が前記ストップ溝の頂部の内壁と当接する時に、前記頂部掛けアームの位置する角度が前記弓形部分の夾角と同じく、前記底部掛けアームが水平の状態にあり、ハンガーが完全に広がった状態にあり、
本発明の便利なハンガーによって着物を掛ける時に、装置全体を底部から干物を通し、それから手で前記駆動柄を握り、力を入れて圧力双安定回路を押さえ、前記圧力双安定回路が信号を前記ミクロ電動機に伝え、前記ミクロ電動機によって前記第二歯車を回転させ、前記第一歯車の作用のもとで、前記外ねじ山中空レバーを回転させ、前記外ねじ山中空レバーによって前記牽引環を上へ移動させ、同時に、前記圧縮ばねの作用のもとで、前記頂部掛けアームを互いに反対方向へ揺れさせ、前記底部掛けアームが上へ移動する時に前記頂部掛けアームにつれて揺れ、前記頂部掛けアームが次第に前記ストップ溝の頂部の内壁と当接する方向へ揺れ、前記底部掛けアームが次第に水平方向へ移動し、ハンガー全体が一定の形になったら、この時に、着物が完全に張られ、これにより自動に着物を張り、それから前記フックによって装置全体をを物干レバーに掛け、
着物を片付ける時に、手に力を入れて前記駆動柄を握って前記フックを物干レバーから外し、それから力を入れて前記圧力双安定回路を押さえ、前記圧力双安定回路が信号を送信し、前記ミクロ電動機によって前記第二歯車を反対方向へ回転させ、前記外ねじ山中空レバーによって前記牽引環を下へ移動させ、前記牽引環が前記底部掛けアームを引き、それによって前記底部掛けアームが下へ移動し揺れて収縮させ、前記底部掛けアームが前記頂部掛けアームを引き、それによって前記頂部掛けアームが向かい合って揺れて収縮し、その時に着物を取り出し、装置の実用性能を高めることを特徴とする収納に便利なハンガー。
【発明の詳細な説明】
【技術分野】
【０００１】
本発明は知能日用品技術分野に関し、具体的には、収納に便利なハンガーに関する。
【背景技術】
【０００２】
都市化が快速に勧めていくことと伴って、人々は次第に日用品に関して知能化、便利化に視点を置いていく。普通かつ伝統的なハンガーは固定な形であり、着服する時に扱いにくく、また複数のハンガーを重ねて置くと分離しにくくなり、また、一般的なハンガーはロッドを使って掛けなかればならないため、使用者に不便を与える。したがって、知能なハンガーは現在の発展において必然的な流れになる。本発明は前記の問題を解決できる。
【先行技術文献】
【特許文献】
【０００３】
【特許文献１】中国特許出願公開第102221555号明細書
【発明の概要】
【発明が解決しようとする課題】
【０００４】
本発明の目的は上記の背景技術に提出された問題を解決するための収納に便利なハンガーを提供することにある。
【課題を解決するための手段】
【０００５】
上記の目的を実現するために、本発明には、固定柱と前記固定柱の頂部に設置される支持ブロックを含み、前記固定柱の底部の端面に下向きの第一溝が設置され、前記支持ブロックの底部の端面に左右対称かつ下向きのストップ溝が設置され、前記支持ブロックの頂部の端面にフックが設置され、前記ストップ溝の中には頂部掛けアームがヒンジにより回転できるように設置され、前記頂部掛けアームの下端が前記ストップ溝の下端開口の外部まで伸びており、かつ弓形部分と固定的に接続され、前記弓形部分の他の一端が底部掛けアームにヒンジで接続され、前記第一溝の内に上下に伸びる外ねじ山中空レバーが設置され、前記外ねじ山中空レバーの底部の駆動柄がヒンジで繋がれ、前記駆動柄の頂部の端面に上に向かうかつ前記外ねじ山中空レバーとヒンジで繋がれる第二溝が設置され、支持レバーに、上下に伸びる前記外ねじ山中空レバーが回転し係合し接続され、前記支持レバーの頂部の伸長末端が前記第一溝の頂部の内壁と固定に接続され、前記支持レバーの底部の伸長末端が前記第二溝の底部の内壁と固定に接続され、前記第二溝の内に左右を貫通する空き筐体が設置され、前記空き筐体の内に前記外ねじ山中空レバーと固定に接続する第一歯車が設置され、前記空き筐体の底部の内壁に前記外ねじ山中空レバーの右端にあるミクロ電動機が嵌入し設置され、前記ミクロ電動機の頂部の端面に前記第一歯車と噛合接続する第二歯車が設置され、前記外ねじ山中空レバーに牽引環がねじで係合し接続され、前記牽引環の左右端が前記底部掛けアームの底部の末端とヒンジで繋がれる。
【０００６】
優先的には、その中に、前記駆動柄の左端の端面に握り跡が設置され、前記握り跡の内に圧力双安定回路が設置され、前記圧力双安定回路が前記ミクロ電動機と電気で繋がれ、これによりハンガーを自動に伸展させ、便利性を高める。
【０００７】
優先的には、その中に、前記頂部掛けアームの前記固定柱に近接する一端に基台が設置され、前記基台に転向子がヒンジで繋がれ、前記固定柱の前記基台と相対する端面に固定敷が設置され、前記固定敷と前記転向子の間に圧縮ばねが固定に接続され、これにより頂部掛けアームの自動跳ね返りに便利を与え、ハンガー全体の伸展が簡単また便利になる。
【０００８】
優先的には、その中に、前記圧縮ばねは前記牽引環が上昇している時に前記頂部掛けアームをプッシュして揺れ動きながら回転させる。
【０００９】
優先的には、その中に、前記頂部掛けアームの頂部の端面が前記ストップ溝の頂部の内壁と当接する時に、前記頂部掛けアームの位置する角度が前記弓形部分の夾角と同じく、前記底部掛けアームが水平の状態にあり、ハンガーが完全に広がった状態にある。
【発明の効果】
【００１０】
本発明の有益効果は：本発明のハンガーは収縮する時に、前記頂部掛けアームが上下状態にあり、前記圧縮ばねが曲がった状態にありつつ前記頂部掛けアームに抵抗し、前記底部掛けアームが前記外ねじ山中空レバーに一番近接する位置にあり、この時に、前記牽引環が運動して形成された一番底部にあり、これによりハンガー全体の体型を縮み、保存と後の着服に便利を与える。
【００１１】
本発明のハンガーによって着物を掛ける時に、装置全体を底部から干物を通し、それから手で前記駆動柄を握り、力を入れて圧力双安定回路を押さえ、前記圧力双安定回路が信号を前記ミクロ電動機に伝え、前記ミクロ電動機によって前記第二歯車を回転させ、前記第一歯車の作用のもとで、前記外ねじ山中空レバーを回転させ、前記外ねじ山中空レバーによって前記牽引環を上へ移動させ、同時に、前記圧縮ばねの作用のもとで、前記頂部掛けアームを互いに反対方向へ揺れさせ、前記底部掛けアームが上へ移動する時に前記頂部掛けアームにつれて揺れ、前記頂部掛けアームが次第に前記ストップ溝の頂部の内壁と当接する方向へ揺れ、前記底部掛けアームが次第に水平方向へ移動し、ハンガー全体が一定の形になったら、この時に、着物が完全に張られ、これにより自動に着物を張り、それから前記フックによって装置全体をを物干レバーに掛け、これによりハンガーを使う便利性や効果を高める。
【００１２】
着物を片付ける時に、手に力を入れて前記駆動柄を握って前記フックを物干レバーから外し、それから力を入れて前記圧力双安定回路を押さえ、前記圧力双安定回路が信号を送信し、前記ミクロ電動機によって前記第二歯車を反対方向へ回転させ、前記外ねじ山中空レバーによって前記牽引環を下へ移動させ、前記牽引環が前記底部掛けアームを引き、それによって前記底部掛けアームが下へ移動し揺れて収縮させ、前記底部掛けアームが前記頂部掛けアームを引き、それによって前記頂部掛けアームが向かい合って揺れて収縮し、その時に着物を取り出し、装置の実用性能を高める。
【００１３】
本発明は構造が簡単で、操作が便利で、知能自動駆動ハンガーの収縮と伸展によって、装置の便利性を高め、保存や保管に便利を与え、重さも小さく、手動でやすく運ばれる。同時に本発明のハンガーを短冊にすることで、掛ける便利性を高め、高空に掛ける難問を解決し、同時に、実用性能も高い。
【図面の簡単な説明】
【００１４】
説明しやすいため、本発明は以下の具体的な実施例と付図を交え詳しく説明する。
【００１５】
【図１】図1は本発明の収納に便利なハンガーの収縮する時の総体構造概略図である。
【図２】図2は本発明の収納に便利なハンガーの伸展する時の総体構造概略図である。
【図３】図3は図1のAの構造概略図である。
【発明を実施するための形態】
【００１６】
図1、図２と図３が示すように、本発明の収納に便利なハンガーは、固定柱100と前記固定柱100の頂部に設置される支持ブロック101を含み、前記固定柱100の底部の端面に下向きの第一溝110が設置され、前記支持ブロック101の底部の端面に左右対称かつ下向きのストップ溝104が設置され、前記支持ブロック101の頂部の端面にフック102が設置され、前記ストップ溝104の中には頂部掛けアーム105がヒンジにより回転できるように設置され、前記頂部掛けアーム105の下端が前記ストップ溝104の下端開口の外部まで伸びており、かつ弓形部分120と固定的に接続され、前記弓形部分120の他の一端が底部掛けアーム109にヒンジで接続され、前記第一溝110の内に上下に伸びる外ねじ山中空レバー111が設置され、前記外ねじ山中空レバー111の底部の駆動柄114がヒンジで繋がれ、前記駆動柄114の頂部の端面に上に向かうかつ前記外ねじ山中空レバー111とヒンジで繋がれる第二溝115が設置され、支持レバー112に、上下に伸びる前記外ねじ山中空レバー111が回転し係合し接続され、前記支持レバー112の頂部の伸長末端が前記第一溝110の頂部の内壁と固定に接続され、前記支持レバー112の底部の伸長末端が前記第二溝115の底部の内壁と固定に接続され、前記第二溝115の内に左右を貫通する空き筐体116が設置され、前記空き筐体116の内に前記外ねじ山中空レバー111と固定に接続する第一歯車119が設置され、前記空き筐体116の底部の内壁に前記外ねじ山中空レバー111の右端にあるミクロ電動機118が嵌入し設置され、前記ミクロ電動機118の頂部の端面に前記第一歯車119と噛合接続する第二歯車119が設置され、前記外ねじ山中空レバー111に牽引環113がねじで係合し接続され、前記牽引環113の左右端が前記底部掛けアーム109の底部の末端とヒンジで繋がれる。
【００１７】
有益的には、その中に、前記駆動柄114の左端の端面に握り跡122が設置され、前記握り跡122の内に圧力双安定回路121が設置され、前記圧力双安定回路121が前記ミクロ電動機118と電気で繋がれ、これによりハンガーを自動に伸展させ、便利性を高める。
【００１８】
有益的には、その中に、前記頂部掛けアーム105の前記固定柱100に近接する一端に基台107が設置され、前記基台107に転向子108がヒンジで繋がれ、前記固定柱100の前記基台107と相対する端面に固定敷103が設置され、前記固定敷103と前記転向子108の間に圧縮ばね106が固定に接続され、これにより頂部掛けアームの自動跳ね返りに便利を与え、ハンガー全体の伸展が簡単また便利になる。
【００１９】
有益的には、その中に前記圧縮ばね106は前記牽引環113が上昇している時に前記頂部掛けアーム105をプッシュして揺れ動きながら回転させる。
【００２０】
有益的には、その中に、前記頂部掛けアーム105の頂部の端面が前記ストップ溝104の頂部の内壁と当接する時に、前記頂部掛けアーム105の位置する角度が前記弓形部分120の夾角と同じく、前記底部掛けアーム109が水平の状態にあり、ハンガーが完全に広がった状態にある。
【００２１】
本発明のハンガーは収縮する時に、前記頂部掛けアーム105が上下状態にあり、前記圧縮ばね106が曲がった状態にありつつ前記頂部掛けアーム105に抵抗し、前記底部掛けアーム109が前記外ねじ山中空レバーに一番近接する位置にあり、この時に、前記牽引環113が運動して形成された一番底部にある。
【００２２】
本発明のハンガーによって着物を掛ける時に、装置全体を底部から干物を通し、それから手で前記駆動柄114を握り、力を入れて圧力双安定回路121を押さえ、前記圧力双安定回路121が信号を前記ミクロ電動機118に伝え、前記ミクロ電動機118によって前記第二歯車117を回転させ、前記第一歯車119の作用のもとで、前記外ねじ山中空レバー111を回転させ、前記外ねじ山中空レバー111によって前記牽引環113を上へ移動させ、同時に、前記圧縮ばね106の作用のもとで、前記頂部掛けアーム105を互いに反対方向へ揺れさせ、前記底部掛けアーム109が上へ移動する時に前記頂部掛けアーム105につれて揺れ、前記頂部掛けアーム105が次第に前記ストップ溝104の頂部の内壁と当接する方向へ揺れ、前記底部掛けアーム109が次第に水平方向へ移動し、ハンガー全体が一定の形になったら、この時に、着物が完全に張られ、これにより自動に着物を張り、それから前記フック102によって装置全体をを物干レバーに掛ける。
【００２３】
着物を片付ける時に、手に力を入れて前記駆動柄114を握って前記フック102を物干レバーから外し、それから力を入れて前記圧力双安定回路121を押さえ、前記圧力双安定回路121が信号を送信し、前記ミクロ電動機118によって前記第二歯車117を反対方向へ回転させ、前記外ねじ山中空レバー111によって前記牽引環113を下へ移動させ、前記牽引環113が前記底部掛けアーム109を引き、それによって前記底部掛けアーム109が下へ移動し揺れて収縮させ、前記底部掛けアーム109が前記頂部掛けアーム105を引き、それによって前記頂部掛けアーム105が向かい合って揺れて収縮し、その時に着物を取り出せばいい。
【００２４】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
0006627195.tif 000002
【図２】
0006627195.tif 000003
【図３】
0006627195.tif 000004